(57)【要約】【課題】地盤面から所定の高さ以上の基礎に設置する必要のある設備機器を据え付ける場合、基礎の構築やアンカーボルトの設置、その位置決めなどに熟練を要していた。【解決手段】地盤面から所定高さ以上の基礎に設置を必要とする設備機器を地盤面に固定するものであって、該所定高さ以上に形成したもので該設備機器の設置固定部との接続固定部を設けた本体ベースと、該本体ベースの側部に設けたもので該本体ベースを地盤面上にアンカーボルトで固定するアンカー固定部とによって構成する。【選択図】　　　　図１
2004092837.tif 000002
【特許請求の範囲】
【請求項１】
地盤面から所定高さ以上の基礎に設置を必要とする設備機器を地盤面に固定するものであって、該所定高さ以上に形成したもので該設備機器の設置固定部との接続固定部を設けた本体ベースと、該本体ベースの側部に設けたもので該本体ベースを地盤面上にアンカーボルトで固定するアンカー固定部とによって構成したことを特徴とする設備機器固定用ベース。
【発明の詳細な説明】
【０００１】
【発明の属する技術分野】
本発明は、高圧ガス貯槽タンクや発電機など、地盤面から所定高さ以上に設置が義務付けられている設備機器を地盤面上に固定するためのベースに関するものである。
【０００２】
【従来の技術】
ＬＰガスを会社、工場、学校、集合住宅などに供給する場合、いわゆるバルク貯槽（貯蔵能力１０００ｋｇ未満）と呼ばれるタンクを設置することによって行われている。これは、従来のように例えば５０ｋｇのボンベを多数設置してボンベを交換して補給する方法に比し、タンクローリーで直接補給できるバルク貯槽の方が効率が高いことにある。バルク貯槽の場合には、地盤面上に地盤面から高さ５ｃｍ以上で、水平で不同沈下を起こさない平坦なコンクリート盤等による基礎に、貯槽タンクを固定しなければならないと定められている（液化石油ガスの保安の確保及び取引の適正化に関する法律施行規則）。
【０００３】
このため、従来では例えば地盤面に５ｃｍ以上の高さにコンクリートを打設して基礎を構築し、その際に埋設したアンカーボルトに貯槽タンクを固定する方法が採られている。また、構築された基礎に穿孔してアンカーボルトを打ち込む方法や、枕木状のコンクリート製基礎（以下「ブロック基礎」という。）を地盤面に設置し、これに固定する方法なども行われている。
【０００４】
【発明が解決しようとする課題】
ところが、このようなバルク貯槽等の設備機器を設置する場合においては、基礎の構築、及び基礎への設備機器の固定に多大な手間や困難を伴う問題が生じている。例えば、コンクリートを打設して基礎を構築する作業そのものや埋設するアンカーボルトの位置決めにも知識と経験が必要であり、こういう作業に馴れていないプロパンガス業者には無理がある。さらに、設備機器を基礎にアンカーボルトを打ち込んで固定する場合でも、設備機器によってはその本体が邪魔になって基礎に穿孔できないことや、真っ直ぐに穿孔できず斜めになるため必要な強度が得られなくなる問題がある。また、ブロック基礎を設置して設備機器を固定する場合、該ブロック基礎はかなりの重量となり搬送が困難となる。しかも、ブロック基礎に設備機器の設置固定部をボルト等で固定するため、長孔を設けるなどの加工が必要となりコスト高となる欠点がある。
【０００５】
【課題を解決するための手段】
そこで本発明者は上記問題に鑑み鋭意研究の結果、本発明を成し得たものであり、その特徴とするところは、地盤面から所定高さ以上の基礎に設置を必要とする設備機器を地盤面に固定するものであって、該所定高さ以上に形成したもので該設備機器の設置固定部との接続固定部を設けた本体ベースと、該本体ベースの側部に設けたもので該本体ベースを地盤面上にアンカーボルトで固定するアンカー固定部とによって構成したことにある。
【０００６】
ここで、本明細書中でいう「設備機器」とは、所定の場所に固定して据え付けることによって利用するための機器であり、例えば上述したようなＬＰガスのタンク、給湯器、ポンプ、発電機などである。これら設備機器に設けられた支柱やサドルなどの設置固定部を、コンクリート面など不同沈下を生じさせない地盤面にアンカーボルトを埋設したり打ち込んで固定する。
【０００７】
「本体ベース」とは、所定高さ以上に形成し、その高さに設備機器を載置して固定する部材をいう。このため、本体ベースの上面には設備機器の設置固定部と固定する接続固定部を設けている。接続固定部としては、ボルトやナットなどを利用して固定できる構造であればよく、特に限定するものではない。例えば、一般的なボルト・ナットによる締結の他、切削によるネジ切り、接続固定部にボルトやナットの固定、射出成型時の埋め込みなどである。本発明に係る設備機器固定用ベースは、鋳物やプレス成型、ダイカスト成型、プラスチックの射出成型などによって製造する。
【０００８】
「アンカー固定部」とは、本体ベースの側部に設け、該本体ベースを地盤面上に固定するための部材をいう。アンカー固定部は、アンカーボルトをコンクリート面などに打ち込むことによって固定する。設備機器の設置固定部に取り付けた本体ベースを、アンカー固定部にアンカーボルトを打ち込んで固定する際、該アンカーボルトのピンを打ち込むときに、設備機器本体やこれに設けられた周辺機器が邪魔にならないように、本体ベースの接続固定部とアンカー固定部を１００ｍｍ以上離反させておくのが好ましい。このようにすれば、アンカーボルトを挿通するための穿孔作業も容易となる。
【０００９】
【発明の実施の形態】
以下、本発明を図面に示す発明の実施の形態に基づいて詳細に説明する。
【００１０】
図１（ａ）は、本発明に係る設備機器固定用ベース１の実施の形態の一例である。この設備機器固定用ベース１は、設備機器Ｔを載置固定するもので、所定高さ（本例では、５５ｍｍ）に形成した本体ベース１１と、該本体ベース１１の側部に設けたアンカー固定部１２とによって構成したものである。本体ベース１１には、同図（ｂ）のように接続固定部１３を設け、設備機器Ｔの設置固定部Ｔ１と固定する。そして、アンカー固定部１２に設けた貫通孔１４にアンカーボルト２を打ち込むことによって、設備機器固定用ベース１を介して設備機器Ｔを地盤面上の所定高さに固定することができる。本例の設備機器固定用ベース１は、本体ベース１１の接続固定部１３と、アンカー固定部１２の貫通孔１４のセンター間距離を１９０ｍｍ、本体ベース１１の上端部の径を１６０ｍｍとしている。
【００１１】
設備機器固定用ベース１は、設備機器Ｔであるバルク貯槽を設置する場合として、図２に示すように該バルク貯槽の設置固定部Ｔ１に本体ベース１１の接続固定部１３をボルト・ナットで固定する。この場合、バルク貯槽はユニッククレーンなどで吊り下げた状態で行ったり、設置固定部Ｔ１を交互に持ち上げて行う。本例のバルク貯槽には、４ヶ所設置固定部Ｔ１が設けられているため、各々に設備機器固定用ベース１を取り付ける。
【００１２】
各設置固定部Ｔ１に設備機器固定用ベース１を取り付けた後は、図３のように地盤面３であるコンクリート面に穿孔し、これにアンカーボルト２をアンカー固定部１２の貫通孔１４を通して挿通する。そして、アンカーボルト２の頭部を打ち込むことによって、設備機器Ｔの固定が完了する。
【００１３】
本例では、アンカーボルト２用の穿孔作業時に設備機器Ｔの本体が邪魔にならないように、アンカー固定部１２の貫通孔１４の位置を調整して固定し、該貫通孔１４を通してコンクリート面に穿孔しているが、逆に設備機器固定用ベース１をアンカーボルト２で固定してから設備機器Ｔを該設備機器固定用ベース１に取り付けるようにしてもよい。
【００１４】
設備機器固定用ベース１としては、この他図４（ａ）（ｂ）のように、接続固定部１３と貫通孔１４のセンター間距離を長くしたり短くしてもよい。また、同図（ｃ）（ｄ）のように本体ベース１１の接続固定部１３を長孔にして設備機器Ｔの設置固定部Ｔ１との固定位置を調整可能としてもよく、アンカー固定部１２を長孔にしてアンカーボルト２との固定位置を調整するようにしてもよい。
【００１５】
【発明の効果】
以上のように本発明に係る設備機器固定用ベースは、地盤面から所定高さ以上の基礎に設置を必要とする設備機器を地盤面に固定するものであって、該所定高さ以上に形成したもので該設備機器の設置固定部との接続固定部を設けた本体ベースと、該本体ベースの側部に設けたもので該本体ベースを地盤面上にアンカーボルトで固定するアンカー固定部とによって構成したことにより、地盤面より所定の高さに固定する必要のある設備機器を、極めて簡単確実に設置することが可能となる。特に、従来熟練が必要であった所定高さに基礎を構築してアンカーボルトを埋め込んだり位置決めする必要がなくなり、ほとんど経験のない作業者でも容易にアンカーボルトによる固定ができるなど極めて有益な効果を有するものである。
【図面の簡単な説明】
【図１】（ａ）は本発明に係る設備機器固定用ベースの実施の形態の一例を示す斜視図、（ｂ）は（ａ）の縦断面図である。
【図２】本発明に係る設備機器固定用ベースの設備機器への取り付け状態を示す側面図である。
【図３】設備機器に取り付けた設備機器固定用ベースをコンクリート面にアンカーボルトで固定する状態を示す部分側面図である。
【図４】（ａ）乃至（ｄ）は、それぞれ本発明に係る設備機器固定用ベースの実施の形態の他の例を示す平面図である。
【符号の説明】
１　設備機器固定用ベース
１１　本体ベース
１２　アンカー固定部
１３　接続固定部
１４　貫通孔
２　アンカーボルト
３　地盤面
Ｔ　設備機器
Ｔ１　設置固定部
【図１】
2004092837.tif 000003
【図２】
2004092837.tif 000004
【図３】
2004092837.tif 000005
【図４】
2004092837.tif 000006